(57)【要約】      （修正有）【課題】他のエネルギーを一切必要としないで高純度の水素を発生できて、水素の発生コストを低減する水素発生装置の提供。【解決手段】内部に変換ユニット２が設けてあり、変換ユニットの内部には炭化水素を水素に変換するための変換用触媒が設けてある。更に、変換ユニットのアウトプット端に設けられた陽子薄膜ユニットを含み、その内部に酸化用触媒が設けられた別の変換ユニットを含む。【効果】変換ユニットにある変換用触媒によって有機／無機炭化水素化合物を変換した後、高純度の水素を得ることができる。【選択図】図１
0003133970.tif 000002
【実用新案登録請求の範囲】
【請求項１】
主に、その内部に変換ユニットが設けてあり、
前記変換ユニットの内部には炭化水素を水素に変換するための変換用触媒が設けてあることを特徴とする、
ミニ水素発生装置。
【請求項２】
更に、前記変換ユニットのアウトプット端に設けられた陽子薄膜ユニットを含むことを特徴とする、請求項１に記載のミニ水素発生装置。
【請求項３】
更に、その内部に酸化用触媒が設けられた別の変換ユニットを含むことを特徴とする、請求項１に記載のミニ水素発生装置。
【考案の詳細な説明】
【技術分野】
【０００１】
本考案は、ミニ水素発生装置に係り、特に、変換ユニットにある変換用触媒によって有機／無機炭化水素化合物を変換した後、高純度の水素を得ることができ、この高純度の水素は、エネルギーの供給源として使用することができると共に、余外のエネルギーを一切必要ないで水素を発生でき、水素の発生コストを低下できるミニ水素発生装置に関するものである。
【背景技術】
【０００２】
現在、動力は経済発展に極めて重要なものである。
ワットが蒸気エンジンを発明した後、人類の歴史における最大の経済モデルチェンジ（工業革命）が発生した。
工業革命後の二百年を経た現在においては、交通機関として主に内燃機関が使用されており、また家庭用および他の機械のパワー源として電力が使用されている。
内燃機関または電力を使用する際に、その最も重要なエネルギーのソースは炭化水素化合物燃料である。
すなわち、燃料油、煤や天然ガスなどがエネルギーのソースとして使用される。
しかしながら、これらの化石燃料を燃焼すると二酸化炭素および他の生成ガスが大気に大量に排出されるので、地球温暖化および大気汚染がどんどん深刻かしている。
【０００３】
すなわち、二酸化炭素が地球温暖化の原因であり、炭素を含む石油系燃料を燃焼すると、二酸化炭素が大気に排出される。
二酸化炭素の大気への排出を低減するための具体の方法は二つある。
その一つは、石油系燃料の使用量を抑制することにより二酸化炭素の大気への排出量を低減する方法であり、二つ目は、新しいエネルギーを開発することにより、二酸化炭素の大気への排出量を低減し、又はゼロにすることである。
石油系燃料を採用した経済システムは地球環境を破壊し続ける一方で、石油が使い尽される期日が近づいている。このような背景の下で新しいエネルギーの開発が重要課題となっている。
【０００４】
宇宙の中の原子の９０パーセントは水素原子である。
また、水素は、自然界の中で最も小さく、最も軽く、最も簡単な原子であり、水および炭化水素化合物の形式で地球に存在する。
水から水素を分解する方法が見つかれば、水素は使い尽くせないものであり、水素を燃焼すると水蒸気が発生するので、地球温暖化や大気汚染の問題の解消に役立つ。
すなわち、水素は、最も軽く、熱伝導性が良く、発熱値が高く、燃焼性能が良く、無毒であり、しかも使用方法が多様にあり、貯蔵形態も多様にあるので、地球環境に優しい燃料ということができる。
【０００５】
そのため、あるメーカは「エネルギー発生装置」を提案した。
この「エネルギー発生装置」は、混合タンクと、水素供給源と、酸素供給源と、冷却剤供給源と、から構成され、水素と酸素を混合することにより必要なエネルギーを発生するエネルギー発生装置である。
前記エネルギー発生装置には、制御パネルが組み付けてある。
前記制御パネルは、混合タンクと、水素供給源と、酸素供給源と、冷却剤供給源と、にそれぞれ電気的に接続している。
これにより、各供給源と混合タンクとの内部の状況を把握できる。
また、前記エネルギー発生装置はケースに収容されている。
前記ケースは、上に捲り可能な上蓋を有し、一側面にセンサーが凸設してある。前記ケースのセンサー上には制御パネルに応じて穴が複数に開設されている。前記ケースの全ての側面には出口が設けてあり、前記ケースの内部には一つの仕切板により上下層に仕切られている。
【考案の開示】
【考案が解決しようとする課題】
【０００６】
しかしながら、上記「エネルギー発生装置」に使用される水素は別の手段によって発生することが必要である。
従来の水素発生装置は、水を電解する方法と、高圧高温で水素を発生する方法と、があるが、これらの方法は電気的エネルギー、煤や天然ガスを大量に消耗を伴い、水素を製造する過程で消耗されるエネルギーが水素燃焼によるエネルギーよりも多く、且つこれらの方法により水素を作製するコストが極めて高い。
そして石油と天然ガスとにより水素を製造する方法は、依然として石油系燃料を使用するので、コスト面と技術面から見れば、上記「エネルギー発生装置」は理想的なものではない。
【課題を解決するための手段】
【０００７】
上記の問題を解決するためになされた本願の第１考案は、主に、その内部に変換ユニットが設けてあり、前記変換ユニットの内部には炭化水素を水素に変換するための変換用触媒が設けてあることを特徴とするミニ水素発生装であることを要旨としている。
【０００８】
本願の第２考案では、更に、前記変換ユニットのアウトプット端に設けられた陽子薄膜ユニットを含むことを特徴とする、前記第１考案に記載のミニ水素発生装置であることを要旨としている。
【０００９】
本願の第３考案では、更に、その内部に酸化用触媒が設けられた別の変換ユニットを含むことを特徴とする、前記第１考案に記載のミニ水素発生装置であることを要旨としている。
【考案の効果】
【００１０】
本考案のミニ水素発生装置によれば、次のような特有の効果を奏する。
（イ）変換ユニットにある変換用触媒によって有機／無機炭化水素化合物を変換した後、高純度の水素を得ることができる。
この高純度の水素は、エネルギーの供給源として使用することができると共に、余外のエネルギーを一切必要としないで水素を発生できて、水素の発生コストを大幅に低減することができる。
【００１１】
（ロ）陽子薄膜ユニットを設置してある場合には、水素を電気的エネルギーに変換することができる。
【００１２】
（ハ）酸化用触媒を持つ別の変換ユニットを設置してある場合には、有機／無機炭化水素化合物を酸化して熱的エネルギーを発生することができる。
【考案を実施するための最良の形態】
【００１３】
以下、添付図面を参照して本考案の好適な実施の形態を詳細に説明する。
【００１４】
まず、図１を参照する。
図１は本考案の水素作製プロセスを示すブロック図である。
本考案のミニ水素発生装置１は、主に、その内部に変換ユニット２が設けてある。
前記変換ユニット２の内部には変換用触媒（例えばパラジウムやプラチナなど）が設置してある。
前記ミニ水素発生装置１に有機／無機炭化水素３（例えばメチル・アルコールなど）を充填すると、前記変換ユニット２内の変換用触媒によって有機／無機炭化水素３が水素に変換される。
【００１５】
また、図２を参照する。
図２は本考案の別の実施例の水素作製プロセスを示すブロック図である。
本考案のミニ水素発生装置１は、その内部に、変換用触媒（例えばパラジウムやプラチナなど）が設置してある変換ユニット２を設けると共に、更に、陽子薄膜ユニット５を設ける。
これにより、前記ミニ水素発生装置１に有機／無機炭化水素３（例えばメチル・アルコールなど）を充填すると、前記変換ユニット２内の変換用触媒によって有機／無機炭化水素３が水素４に変換され、そして水素４を陽子薄膜ユニット５に通過させると、電気的エネルギーが発生される。
【００１６】
また、図３を参照する。
図３は本考案の更に別の実施例の水素作製プロセスを示すブロック図である。
本考案のミニ水素発生装置１は、その内部に、変換用触媒（例えばパラジウムやプラチナなど）が設置してある変換ユニット２を設けると共に、更に、酸化用触媒を持つ別の変換ユニット７を設ける。
これにより、前記ミニ水素発生装置１に有機／無機炭化水素３（例えばメチル・アルコールなど）を充填すると、前記変換ユニット２内の変換用触媒によって有機／無機炭化水素３が水素４に変換される。
そして別の変換ユニット７内にある酸化用触媒によって有機／無機炭化水素３を酸化すると、熱的エネルギーが発生される。
【００１７】
以上のように、本考案に係るミニ水素発生装置１によれば、有機／無機炭化水素３を原料として利用すると、変換ユニット２内にある変換用触媒によって高純度の水素を得ることができる。
ミニ水素発生装置１内にある陽子薄膜ユニット５によって電気的エネルギーを得ることもできる。
そしてミニ水素発生装置１内にある別の変換ユニット７によって有機／無機炭化水素３が酸化して熱的エネルギーを発生させることもできる。
【００１８】
このように本考案は一例を参照して説明したが、これらの記載は実施例を説明するためのものであり、本考案を限定するものではなく、この分野における通常の知識を有する者が本考案の精神および範囲を逸脱することなく行う適宜の変更、追加、削除した事項は本考案に含まれるものである。
【図面の簡単な説明】
【００１９】
【図１】本考案の水素作製プロセスを示すブロック図である。
【図２】本考案の別の実施例の水素作製プロセスを示すブロック図である。
【図３】本考案の更に別の実施例の水素作製プロセスを示すブロック図である。
【符号の説明】
【００２０】
１        水素発生装置                   
２        変換ユニット
３        炭化水素化合物                 
４        水素
５        陽子薄膜ユニット          
６        電気的エネルギー
７        変換ユニット                   
８        熱的エネルギー
【図１】
0003133970.tif 000003
【図２】
0003133970.tif 000004
【図３】
0003133970.tif 000005
【手続補正書】
【提出日】平成19年5月10日(2007.5.10)
【手続補正１】
【補正対象書類名】実用新案登録請求の範囲
【補正対象項目名】全文
【補正方法】変更
【補正の内容】
【実用新案登録請求の範囲】
【請求項１】
主に、その内部に変換ユニットが設けてあり、
前記変換ユニットの内部には炭化水素を水素に変換するための変換用触媒が設けてあることを特徴とする、
ミニ水素発生装置。
【請求項２】
更に、前記変換ユニットのアウトプット端に設けられた陽子交換膜ユニットを含むことを特徴とする、請求項１に記載のミニ水素発生装置。
【請求項３】
更に、その内部に酸化用触媒が設けられた別の変換ユニットを含むことを特徴とする、請求項１に記載のミニ水素発生装置。
【手続補正２】
【補正対象書類名】明細書
【補正対象項目名】０００８
【補正方法】変更
【補正の内容】
【０００８】
本願の第２考案では、更に、前記変換ユニットのアウトプット端に設けられた陽子交換膜ユニットを含むことを特徴とする、前記第１考案に記載のミニ水素発生装置であることを要旨としている。
【手続補正３】
【補正対象書類名】明細書
【補正対象項目名】００１１
【補正方法】変更
【補正の内容】
【００１１】
（ロ）陽子交換膜ユニットを設置してある場合には、水素を電気的エネルギーに変換することができる。
【手続補正４】
【補正対象書類名】明細書
【補正対象項目名】００１５
【補正方法】変更
【補正の内容】
【００１５】
また、図２を参照する。
図２は本考案の別の実施例の水素作製プロセスを示すブロック図である。
本考案のミニ水素発生装置１は、その内部に、変換用触媒（例えばパラジウムやプラチナなど）が設置してある変換ユニット２を設けると共に、更に、陽子交換膜ユニット５を設ける。
これにより、前記ミニ水素発生装置１に有機／無機炭化水素３（例えばメチル・アルコールなど）を充填すると、前記変換ユニット２内の変換用触媒によって有機／無機炭化水素３が水素４に変換され、そして水素４を陽子交換膜ユニット５に通過させると、電気的エネルギーが発生される。
【手続補正５】
【補正対象書類名】明細書
【補正対象項目名】００１７
【補正方法】変更
【補正の内容】
【００１７】
以上のように、本考案に係るミニ水素発生装置１によれば、有機／無機炭化水素３を原料として利用すると、変換ユニット２内にある変換用触媒によって高純度の水素を得ることができる。
ミニ水素発生装置１内にある陽子交換膜ユニット５によって電気的エネルギーを得ることもできる。
そしてミニ水素発生装置１内にある別の変換ユニット７によって有機／無機炭化水素３が酸化して熱的エネルギーを発生させることもできる。
【手続補正６】
【補正対象書類名】明細書
【補正対象項目名】００２０
【補正方法】変更
【補正の内容】
【００２０】
１        水素発生装置                  ２        変換ユニット
３        炭化水素化合物                ４        水素
５        陽子交換膜ユニット            ６        電気的エネルギー
７        変換ユニット                  ８        熱的エネルギー
【手続補正７】
【補正対象書類名】図面
【補正対象項目名】図２
【補正方法】変更
【補正の内容】
【図２】
0003133970.tif 000006